(57)【要約】【課題】  ビル等の施設内において、ＡＭラジオ受信機等のラジオ受信機用いてノイズの影響を受けることなくラジオ放送を受信すること。【解決手段】  ラジオ放送ギャップフィラー装置５は、インターネットラジオ放送サイト１からインターネット２を通じてラジオ放送番組を受信して、元の音声信号に復調する受信部１０と、地上波ラジオ放送の周波数帯域内における所定の周波数とされた搬送波を発振する搬送波発振部２２を備えている。搬送波発振部２２で発振された搬送波は、変調器１１に供給されて受信部１０で復調された前記音声信号により変調されて電波信号が生成される。変調器１１で生成された電波信号は、アンテナ部１５から輻射される。ラジオ放送ギャップフィラー装置５は、ビル等の施設内に設置する。【選択図】図２
2015023491.tif 000002
【特許請求の範囲】
【請求項１】
インターネットラジオ放送サイトからインターネットプロトコルを通じてラジオ放送番組を受信して、元の音声信号に復調する受信部と、
地上波ラジオ放送の周波数帯域内における所定の周波数とされた搬送波を、前記受信部で復調された前記音声信号により変調して電波信号を生成する変調部と、
前記変調部で生成された前記電波信号を輻射するアンテナ部と、
を備えたことを特徴とするラジオ放送ギャップフィラー装置。
【請求項２】
前記受信部は、
インターネットラジオ放送サイトの特定のラジオ番組を受信するための選局情報を複数登録することができる登録部と、
該登録部で登録された複数の選局情報の内の一つを選択する選局手段と、
をさらに備えたことを特徴とする請求項１に記載のラジオ放送ギャップフィラー装置。
【請求項３】
前記受信部で復調された音声信号を音声出力するスピーカ部を備えたことを特徴とする請求項１あるいは２に記載のラジオ放送ギャップフィラー装置。
【請求項４】
前記搬送波の周波数を切り換えることができる周波数切替スイッチを備えたことを特徴とする請求項１ないし３のいずれかに記載のラジオ放送ギャップフィラー装置。
【請求項５】
前記地上波ラジオ放送の周波数帯域が５３１〜１６０２ｋＨｚとされ、前記変調部における変調が振幅変調とされていることを特徴とする請求項１ないし４のいずれかに記載のラジオ放送ギャップフィラー装置。
【発明の詳細な説明】
【技術分野】
【０００１】
本発明は、ビルや地下街、施設などのラジオ放送が受信しにくい場所においてもラジオ放送を受信することを可能とするＡＭラジオ放送ギャップフィラー装置に関する。
【背景技術】
【０００２】
従来より、ＡＭラジオ放送、ＦＭラジオ放送などのラジオ放送は、ラジオ放送局から送信された電波をラジオ受信機で受信していたが、ビルや地下街、施設内などでは、電波がほとんど伝搬されないためラジオ放送を受信することが困難であったり、受信した音声信号に雑音が混入する等の問題があった。特に、ＡＭラジオ放送の電波は、ＦＭラジオ放送に比べて波長が長いため、ビル等の室内には伝播されにくく、ビル内では受信することが困難であった。また、ＡＭラジオ放送には雑音が入りやすく、ＡＭラジオ放送の聴取者のストレスとなっていた。
【０００３】
ところで、最近では、インターネットプロトコルを通じて、主として音声からなる番組を配信するインターネットラジオが知られている。インターネットラジオでは、既存の放送局がインターネット上で従来の電波による放送と同じ内容の音声、もしくはそれに準ずる内容を配信しており、電波による放送と同じ内容をほぼ同時にストリーミングでインターネット配信するシステムやサービスは、「サイマル配信」とも呼称される。日本におけるインターネットラジオ放送ではストリーミングによるライブ配信が行われており、基本的に地上波ラジオ放送と同様の内容を配信する「サイマル配信」が採用されている。インターネットラジオ放送は送信手段として電波を利用しないことから、ＡＭラジオ放送やＦＭラジオ放送のように外来電波による雑音を受けることがなく、良好な音質でラジオ番組を楽しめるという利点がある。
【発明の概要】
【発明が解決しようとする課題】
【０００４】
しかし、インターネットラジオ放送を利用するには、インターネットプロトコルを通じてラジオ放送番組を受信できる電子機器、例えばＰＣ（Personal Computer）やスマートフォンなどの電子機器を利用してインターネットラジオ放送を聴く必要があるため、地上波ラジオ放送を受信するラジオ受信機に替えて、インターネットラジオ放送を受信することができる高価な電子機器が必要になる。また、これらの電子機器の知識に乏しい人にとっては利用が困難であるという問題や、ＰＣやスマートフォンなどの電子機器の立ち上げには時間がかかっていた。
このように、インターネットラジオ放送では、従来使用していたＡＭラジオ受信機やＦＭラジオ受信機が利用できないため、個人的にインターネットラジオ放送を利用するにはＰＣやスマートフォンなどのインターネットプロトコルを通じてラジオ放送番組を受信可能な高価な電子機器を新たに用意する必要があった。
【０００５】
そこで、本発明は、ビルや地下街、施設などのラジオ放送が受信しにくい場所においても地上波ラジオ放送を受信するラジオ受信機によりラジオ放送を受信することを可能とするラジオ放送ギャップフィラー装置を提供することを目的としている。
【課題を解決するための手段】
【０００６】
請求項１に係る本発明のラジオ放送ギャップフィラー装置は、インターネットラジオ放送局からインターネットプロトコルを通じてラジオ放送番組を受信して、元の音声信号に復調する受信部と、地上波ラジオ放送の周波数帯域内における所定の周波数とされた搬送波を、前記受信部で復調された前記音声信号により変調して電波信号を生成する変調部と、前記変調部で生成された前記電波信号を輻射するアンテナ部とを備えたことを最も主要な特徴とする。
【０００７】
請求項２に係る本発明のラジオ放送ギャップフィラー装置は、請求項１に係る発明において、前記受信部は、インターネットラジオ放送の特定のラジオ番組を受信するための選局情報を複数登録することができる登録部と、該登録部で登録された複数の選局情報の内の一つを選択する選局手段とをさらに備えたことを特徴とする。
【０００８】
請求項３に係る本発明のラジオ放送ギャップフィラー装置は、請求項１あるいは２に係る発明において、前記受信部で復調された音声信号を音声出力するスピーカ部を備えたことを特徴とする。
【０００９】
請求項４に係る本発明のラジオ放送ギャップフィラー装置は、請求項１ないし３に係る発明において、前記搬送波の周波数を切り換えることができる周波数切替スイッチを備えたことを特徴とする。
【００１０】
請求項５に係る本発明のラジオ放送ギャップフィラー装置は、請求項１ないし４に係る発明において、前記地上波ラジオ放送の周波数帯域が５３１〜１６０２ｋＨｚとされ、前記変調部における変調が振幅変調とされていることを特徴とする。
【発明の効果】
【００１１】
請求項１に係る発明により、ビルや地下街など、地上波ラジオ放送の届かないところにおいて、ラジオ放送を聴取することができる。また、インターネットラジオ放送のラジオ番組を従来より使用していたラジオ受信機により聴取することができ、個人的にインターネットラジオ放送を聴くためにスマートフォンなどの高価な電子機器を用意する必要がない。また、地上波ラジオ放送局から送信される電波は外部環境に応じてノイズの影響を受けやすいが、インターネットラジオ放送は外来電波による雑音を受けることがないのでストレスなくラジオ番組を聴くことができる。
【００１２】
請求項２に係る発明では、ラジオ放送ギャップフィラー装置に選局情報の登録部及び選局手段を設けることにより、ＰＣを介して選局する必要がなく、選局手段のみで簡単に選局することができる。
【００１３】
請求項３に係る発明では、ラジオ放送ギャップフィラー装置にスピーカ部を設けることにより、選局情報を設定する際や選局手段により選局する際に、どのラジオ番組を選択しているのか簡単に確認することができる。また、本発明のラジオ放送ギャップフィラー装置から直接インターネットラジオ放送を聴取することも可能である。
【００１４】
請求項４に係る発明では、ラジオ放送ギャップフィラー装置から輻射された電波信号が他の放送波と混信した際に、周波数切替スイッチを切り替えることにより、簡単に他の放送波との混信状態を回避することができる。
【００１５】
請求項５に係る発明では、鉄筋マンション等の屋内では電波が減衰しやすく、また、振幅変調波のためノイズの影響が受けやすいＡＭラジオ放送を良好な音質で聴取することができる。
【図面の簡単な説明】
【００１６】
【図１】本発明の実施例のラジオ放送ギャップフィラー装置を含むシステムを示す図である。
【図２】本発明の実施例のラジオ放送ギャップフィラー装置本体の構成を示す図である。
【図３】本発明の実施例のラジオ放送ギャップフィラー装置本体の構成を示す図である。
【発明を実施するための形態】
【００１７】
図１には、本発明の実施例のラジオ放送ギャップフィラー装置を含むシステムを示す。当該システムは、インターネットラジオ放送のサイト１（以下、「サイト１」という。）、インターネット２、ルーター３、ＨＵＢ４、ＰＣ（Personal Computer）６、及び、本発明のラジオ放送ギャップフィラー装置５（以下、「ギャップフィラー装置５」という。）により構成される。サイト１とは、地上波ラジオ番組と同じ内容の番組をインターネットプロトコルを通じてインターネットラジオ放送のラジオ番組として配信するサイトである。ルーター４とは、インターネット上に流れるインターネットラジオ番組を本発明のギャップフィラー装置５に中継するための機器である。ＨＵＢ４とは、ＬＡＮ（Local Area Network）におけるネットワークケーブルを接続する機器である。
【００１８】
ギャップフィラー装置５の各種の設定は、ＰＣ６により行うことができる。ＰＣ６は、ＨＵＢ４を介して本発明のギャップフィラー装置５に接続され、ギャップフィラー装置５における選局情報や周波数等の各種設定のために使用される。各種設定をＰＣ６において行う場合は、ＰＣ６においてギャップフィラー装置５の設定を行うためのアプリケーションを起動させて、ディスプレイに設定用のユーザーインターフェース（ＵＩ）画面を表示させる。そして、マウスやキーボードを用いて選局情報や周波数等の各種設定を行うようにする。なお、ＰＣ６とギャップフィラー装置５はＨＵＢ４に接続されているが、ルーター３に直接接続されていてもよい。
【００１９】
ギャップフィラー装置５では、サイト１から配信された複数のラジオ番組から一つのラジオ番組を選局し、選局されたラジオ番組の配信データをインターネットプロトコルを通じて受信する。
【００２０】
ここで、サイト１とは、インターネットを通じて、主として音声からなる番組を配信するサイトを示しており、民間放送局のＦＭ放送やＡＭ放送と同じ内容をインターネット配信する「ラジコ」（登録商標）、ＮＨＫ放送局と同じ内容をインターネット配信する「らじる★らじる」（登録商標）、「ＮＨＫ語学番組」などがある。このサイト１では複数の番組が用意されており、利用者側においていずれかの番組を選択すると、番組を選択した利用者にサイト１から、選択された番組の配信データが配信される。
【００２１】
サイト１によるラジオ番組の配信方法は、接続、伝送、提供それぞれに複数の方式があり、各サイトによって指定されている。本発明のギャップフィラー装置５を利用するにあたり、これらの配信方法はどのような方法でもよく、サイト１の方式に応じた適切な手段によりラジオ放送番組を入手することができる。
【００２２】
接続の方式としては、ユニキャスト方式、マルチキャスト方式等が挙げられる。ユニキャスト方式とは、コンピュータネットワークにおいて、単一の送信相手を指定してデータを送信する方式である。これに対してマルチキャスト方式とは、ネットワーク上の全ての受信者に一度にデータを送信する方式である。さらにユニキャスト方式は、クライアント−サーバ方式、Ｐ２Ｐ（Peer to Peer）方式があり、クライアント−サーバ方式とは、特定の役割を集中的に担当するコンピュータ（サーバ）と、利用者の操作するコンピュータ（クライアント）に役割を分け、これらが相互にネットワークで接続される方式である。一方、Ｐ２Ｐ方式とは、クライアント−サーバ方式に相対する方式であり、ネットワークに接続されたコンピュータ同士が端末装置として対等の立場、機能で直接通信する方式である。
【００２３】
伝送の方式としては、ストリーミング方式、ダウンロード方式等があり、ストリーミング方式とは、全データをダウンロードするのではなく、その時々の再生に必要なデータだけをリアルタイムに送信する方式である。また、ダウンロード方式は、全データをダウンロードした後に聴取が開始される方式である。
【００２４】
提供方式としては、オンデマンド方式、ライブ方式等が挙げられる。オンデマンド方式とは、聴取者からの要求によっていつでも聴取できるようにする方式であり、ライブ方式とは、マイクなどの録音機器から入ってきた音声をその場で配信データへと変換して聴取者へリアルタイムに送信する方式である。
上記した「ラジコ」や「らじる★らじる」などのインターネットラジオ放送サイトでは、ユニキャスト方式で利用者側と接続され、ライブ方式により提供された配信データをストリーミング方式で利用者側に伝送している。
【００２５】
ラジオ番組の音声信号は、ＨＥ−ＡＡＣ（High-Efficiency Advanced Audio Coding）、ＨＥ−ＡＡＣｖ２（High-Efficiency Advanced Audio Coding v2）、ＭＰ３（Moving Picture Experts Group (MPEG) Audio Layer-3)形式などの音声フォーマットに圧縮されて配信データとされる。これらの音声フォーマットの形式は、サイト１により所定の形式が指定されている。
【００２６】
本発明にかかるギャップフィラー装置５において、設定されている選局情報に基づいてサイト１における番組を指定すると、当該サイト１から指定された番組の配信データがギャップフィラー装置５に配信される。この配信データは、所定の音声フォーマットとされており、本発明のギャップフィラー装置５により元の音声信号に復調される。そして、ギャップフィラー装置５では、復調された音声信号により、地上波ラジオ放送の周波数帯域内における所定の周波数とされた搬送波を変調して電波信号を生成する。
生成した電波信号はギャップフィラー装置５に内蔵されたアンテナ部より輻射される。ギャップフィラー装置５から輻射された電波信号は、従来のＡＭラジオ等のラジオ受信機７で受信することができ、ギャップフィラー装置５において選局されたラジオ番組をラジオ受信機７を用いて聴取することができる。
【００２７】
図２は、本発明の実施例のギャップフィラー装置５の構成を示すブロック図である。ギャップフィラー装置５は、受信部１０、ＬＡＮ（Local Area Network）端子８、ネットワーク部９、搬送波発振部２２、変調器１１、アンプ１２、１３、スピーカ部１４、アンテナ部１５、周波数切替スイッチ１６、及び、選局手段１７を備えている。
【００２８】
受信部１０は、ＣＰＵ（Central Processing Unit）２０、ＲＯＭ（Read Only Memory）、フラッシュメモリ等の不揮発性メモリ１９、ＲＡＭ（Random Access Memory）等の揮発性メモリ１８、及び、デコーダー部２１で構成される。ＣＰＵ２０は、本発明のギャップフィラー装置５における制御装置として機能しており、各部を制御すると共に、アプリケーションプログラムの実行や、付帯機器の制御を行う。ＲＡＭ等の揮発性メモリ１８には、ＣＰＵ２０のワークメモリなどの領域が設定される。一方、フラッシュメモリ等の不揮発性メモリ１９には、ＣＰＵ２０が実行するアプリケーションプログラムや、予め設定される設定情報が記憶される。設定情報には、ギャップフィラー装置５をサイト１に接続するための情報、搬送波発振部２２より発振される搬送波の周波数の設定情報、サイト１における複数のラジオ番組の内の１つの番組を選択するためのＵＲＬやＩＰアドレス等の選局情報などがある。
【００２９】
デコーダー部２１は、配信されたラジオ番組の配信データを元の音声信号にデコードしている。ラジオ番組から配信された配信データは、所定の形式の音声フォーマットに圧縮されて配信されており、デコーダー部２１では、この音声フォーマットの配信データをデコードしてデジタルの音声信号に復調し、デジタル−アナログ変換を行うことによりアナログの音声信号に変換している。デコーダ部２１に替えて、ＣＰＵ２０にデコード用のアプリケーションプログラムを実行させることにより配信データのデコードを行うと共に、復調されたデジタルの音声信号をアナログの音声信号に変換してもよい。また、デコーダー部２１は、デコーダーおよびデジタル−アナログ変換を行うようにプログラミングされたＦＰＧＡ（Field Programmable Gate Array）で構成することが可能である。
【００３０】
搬送波発振部２２は、ラジオ受信機７で受信可能なラジオ放送に割り当てられた周波数帯域内の所定の周波数の搬送波を発振して変調器１１に供給している。ラジオ受信機７で受信可能な周波数帯域とは、ＡＭラジオ受信機の場合は５３１ｋＨｚ〜１６０２ｋＨｚであり、ＦＭラジオ受信機の場合は７６．０ＭＨｚ〜９０．０ＭＨｚである。搬送波発振部２２で発振される搬送波の周波数は、各地域に割り当てられているラジオ放送局の放送波と混信しないように、ラジオ放送局の周波数と異なる周波数に設定する。例えば、ＡＭラジオ受信機の場合、搬送波の周波数を地上波ラジオ放送の周波数と９ｋＨｚ間隔で離して設定することにより混信を回避できる。
なお、本発明のギャップフィラー装置５を複数台設置する場合には、各ギャップフィラー装置５同士の搬送波が混信しないようにそれぞれ異なる周波数を設定する。
【００３１】
搬送波発振部２２は、ＩＣチップやディスクリート回路等のハードウェアにより構成することが一般的であるが、ＣＰＵ２０などの処理装置が実行できるソフトウェアにより構成することもできる。また、搬送波の発振を行うようにプログラミングされたＦＰＧＡにより構成することもできる。ハードウェアで構成する場合は、コンデンサー（Ｃ）と抵抗（Ｒ）で構成されるＣＲ発振回路、コイル（Ｌ）とコンデンサー（Ｃ）で構成されるＬＣ同調発振回路、水晶発振回路などを用いることができる。また、ＰＬＬ（Phase Locked Loop）回路を用いて搬送波を発振してもよい。
【００３２】
そして、搬送波発振部２２で発振された搬送波は変調器１１に供給されて、前記デコーダー部２１から変調器１１に供給されたアナログの音声信号により変調されて電波信号が生成される。変調方法には、振幅変調（ＡＭ変調）、周波数変調（ＦＭ変調）等があり、ラジオ受信機７に応じて設定する。
【００３３】
変調器１１から出力される電波信号は、アンプ１２により所定の電力になるよう増幅された後にアンテナ部１５より輻射される。そして、この電波信号をラジオ受信機７を用いて受信することにより、サイト１から配信された番組を従来のラジオ受信機７で聴くことが可能となる。なお、アンテナ部１５からは無線局の免許を受ける必要のない微弱電波で輻射される。
【００３４】
また、本発明のギャップフィラー装置５には、スピーカ部１４が設けられている。スピーカ部１４は、デコーダー部２１により復調されたアナログの音声信号を、アンプ１３により増幅した後に音声出力するための機器である。スピーカ部１４を設けることにより、ＵＲＬ等のラジオ番組の選局情報を設定する際に音声出力を確認しながら行うことができる。また、サイト１のラジオ放送を本発明のギャップフィラー装置５から直接聴取することも可能である。
なお、アナログの音声信号を変調器１１に供給して電波信号としてアンテナ部１５より輻射する経路と、スピーカ部１４より音声として出力する経路を切替スイッチにより選択できるようにすることが好ましい。また、図２に示すようにスピーカ部１４からの音声出力と電波信号の両方を同時に出力できるようにしてもよい。
【００３５】
さらに、図２に図示されたギャップフィラー装置５には、不揮発性メモリ１９に前記ラジオ番組の選局情報を複数局記憶するための登録部、登録された選局情報の一つを選択して呼び出すための選局手段１７が設けられている。選局手段１７は、登録した選局情報ごとに複数の選局ボタンを設けてもよいし、単一の選局ボタンを押すことにより選局情報を順次切り替えていく構成としてもよい。選局手段１７を設けることより選局の際にＰＣ６を使用する必要がなく、予め設定された選局情報の一つを選局手段１７を操作するだけで選局することが可能となる。
【００３６】
また、図２に図示されたギャップフィラー装置５には、搬送波発振器２２に周波数切替スイッチ１６が設けられている。周波数切替スイッチ１６とは、搬送波の周波数を別の周波数に変更するためのスイッチである。ＡＭラジオ受信機の場合は、９ｋＨｚ又は３６ｋＨｚステップで周波数を変更することが好ましい。例えば、周波数の初期設定値を５４０ｋＨｚとし、周波数切替スイッチ１６により５７６ｋＨｚ（３６ｋＨｚステップ）に変更するように設定する。周波数切替スイッチ１６を設けることにより、他の放送波との混信状態となった際、ＰＣ６で搬送波の周波数を再設定することなく、周波数切替スイッチ１６を切り替えるだけで回避することができる。
【００３７】
その他、ＬＡＮ端子８は、ルータ３あるいはＨＵＢ４に接続されているＬＡＮケーブルが接続されるネットワーク用の端子であり、ネットワーク部９は、ＬＡＮケーブルを介して受信された配信データをＣＰＵ２０に受け渡すネットワーク処理を行っている。ネットワーク部９の通信規格は、コンピュータネットワークの規格であるイーサネット（登録商標）等が用いられる。ギャップフィラー装置５は、ネットワーク部９の機能によりインターネット２に接続されている。なお、ネットワーク部９に無線ＬＡＮ機能を持たせると、ギャップフィラー装置５をワイヤレスでインターネット２に接続することができる。
【００３８】
図３は、本発明のギャップフィラー装置５の異なる構成を示すブロック図である。図３では、デコーダー部２１がＦＰＧＡ（Field Programmable Gate Array）２３及びＤＡＣ２４で構成されている。ＦＰＧＡ２０とは、購入者がプログラム可能なデバイスであり、サイト１から取得したラジオ番組の配信データの音声フォーマットを復調するための復調部２５、搬送波を形成して出力するための発振出力部２６がプログラムされている。ＤＡＣ２４とは、デジタル−アナログ変換回路（Digital to Analog Converter）の略であり、デジタル信号をアナログ信号に変換するための電子回路である。
【００３９】
サイト１より配信された配信データは、ＣＰＵ２０により取得されてＦＰＧＡ２３に供給される。そして、ＣＰＵ２０の制御の下、所定の音声フォーマットとされた配信データは、ＦＰＧＡの復調部２５によりデジタル信号に復調され、復調されたデジタル信号は、ＤＡＣ２４によりアナログの音声信号に変換される。ＤＡＣ２４から出力されたアナログの音声信号は、音声／輻射を切り替えるスイッチ２７に供給される。前記音声／輻射切替スイッチ２７は、１回路２接点スイッチであり、ＤＡＣ２４から出力された音声信号が可動接点に供給され、スイッチ２７が切り換えられることにより可動接点が切り換えられ、前記音声信号が変調器１１又はスピーカ部１４のいずれかに出力される。
【００４０】
さらにＦＰＧＡ２３には、発振出力部２６から発振される搬送波の周波数を変更するための周波数切替スイッチ１６が接続されている。例えば、周波数切替スイッチ１６として１回路２接点スイッチを使用し、周波数切替スイッチ１６を切り替えることにより、発振出力部２６において発振する周波数を５４０ｋＨｚ＋０ＫＨｚまたは５４０ｋＨｚ＋３６ｋＨｚに切り換えられる。この場合、ＦＰＧＡ２３から周波数切替スイッチ１６の可動接点にハイレベル信号“１”を送り、周波数切替スイッチ１６を切り替えることにより、ＦＰＧＡ２３の入力端子ａまたは入力端子ｂに信号“１”を供給する。ここで、入力端子ａに“１”が入力されると５４０ｋＨｚ＋０ｋＨｚ（５４０ｋＨｚ）の搬送波が発振され、入力端子ｂに“１”が入力されると５４０ｋＨｚ＋３６ｋＨｚ（５７６ｋＨｚ）の周波数の搬送波が発振されるようになる。この構成により、他の放送波と混信した際に、周波数切替スイッチ１６を切り替えるだけで混信を回避することができる。
【００４１】
その他、図３には、ＤＣ−ＩＮ端子２９、ＡＣ／ＤＣ電源ユニット２８、電源回路３０が図示されている。ＡＣ／ＤＣ電源ユニット２８は、交流電源を所定の電圧の直流電源に変換し、ＤＣ−ＩＮ端子２９からラジオ放送ギャップフィラー装置５に直流電源を供給する。そして、電源回路３０により、ネットワーク部９、ＣＰＵ２０、ＦＰＧＡ２３、ＤＡＣ２４、変調器１１、アンプ１２，１３にそれぞれ所定の直流電源が供給される。
また、ＵＳＢ（Universal Serial Bus）端子を設けて、このＵＳＢ端子とＰＣのＵＳＢ端子とをＵＳＢケーブルで接続することにより、ＰＣから直流電源を電源回路３０に供給する構成としてもよい。
【００４２】
また、さらなる別の態様としては、ギャップフィラー装置５にディスプレイを設けて、ディスプレイに設定用のユーザーインターフェース（ＵＩ）画面を表示させてもよい。この場合、ギャップフィラー装置５に備えられているＵＳＢ端子にマウス等のポインティングデバイスを接続してＵＩ画面上において、ラジオ番組の選局情報や搬送波の周波数の設定情報等の設定を行ってもよい。この構成によりＰＣ６を全く使用することなく設定を行うことができる。
【産業上の利用可能性】
【００４３】
ＡＭラジオ受信機やＦＭラジオ受信機の普及率は高いものの、ビルや地下街、施設などでは受信することができない等の問題があった。本発明のラジオ放送ギャップフィラー装置では、インターネットラジオ放送より取得したラジオ番組の配信データをアナログの音声信号に変換し、さらにラジオ放送の周波数帯域内の電波信号として輻射することにより、これまで受信することが困難であった場所でもＡＭラジオ受信機等を使用してラジオ番組を聴取することができる。例えば、本発明のラジオ放送ギャップフィラー装置を病院や喫茶店や地下鉄ホーム等の施設内に設置することにより、ＡＭラジオ受信機等を使用して、インターネットラジオ放送を聴くことができるようになる。
【符号の説明】
【００４４】
１  インターネットラジオ放送のサイト、２  インターネット、３  ルーター、４  ＨＵＢ、５  ラジオ放送ギャップフィラー装置、６  ＰＣ、７  ラジオ受信機、８  ＬＡＮ端子、９  ネットワーク部、１０  受信部、１１  変調器、１２，１３  アンプ、１４  スピーカ部、１５  アンテナ部、１６  周波数切替スイッチ、１７  選局手段、１８  揮発性メモリ、１９  不揮発性メモリ、２０  ＣＰＵ、２１  デコーダー部、２２  搬送波発振部、２３  ＦＰＧＡ、２４  ＤＡＣ、２５  復調部、２６  発振出力部、２７  音声／輻射切替スイッチ、２８  ＡＣ／ＤＣ電源ユニット、２９  ＤＣ／ＩＮ端子、３０  電源回路
【図１】
2015023491.tif 000003
【図２】
2015023491.tif 000004
【図３】
2015023491.tif 000005